(57)【要約】【課題】  光学素子や偏向器が格納されている光学箱の剛性を高めて振動に対する強度の向上により振動が原因する出力画像の劣化を防止することが可能な構成を備えた光走査装置を提供する。【解決手段】  光源２１５〜２１８と偏向器２０８と結像素子を用いて像面上に光スポットを走査する光走査装置であって、該光源２１５〜２１８と該偏向器２０８と該結像素子を設置する筐体２０１を備え、該筐体１０１は少なくとも、向かい合う２つの側壁２０２，２０３と、該側壁２０２，２０３に略垂直に延びる底面と、該底面に略垂直で、かつ該２つの側壁２０２，２０３から各々連なって形成されたリブ２０４〜２０７とを有し、該リブ２０４〜２０７には、光束を通過させるための不連続部（リブとリブの間またはリブの切欠部）が設けられ、該不連続部には、リブ２０４〜２０７とは別体の補強部材２２５が架橋されていることを特徴とする。【選択図】  図３
2006234977.tif 000002
【特許請求の範囲】
【請求項１】
光源と偏向器と結像素子を用いて像面上に光スポットを走査する光走査装置であって、
該光源と該偏向器と該結像素子を設置する筐体を備え、
該筐体は少なくとも、向かい合う２つの側壁と、該側壁に略垂直に延びる底面と、該底面に略垂直で、かつ該２つの側壁から各々連なって形成されたリブとを有し、
該リブには、光束を通過させるための不連続部（リブとリブの間またはリブの切欠部）が設けられ、該不連続部には、リブとは別体の補強部材が架橋されていることを特徴とする光走査装置。
【請求項２】
請求項１記載の光走査装置において、
前記補強部材は、前記リブと別体である場合に、接着剤またはねじを用いて該リブに固定することによって、該リブの不連続部に架橋されていることを特徴とする光走査装置。
【請求項３】
請求項１または２記載の光走査装置において、
前記リブの不連続部は偏向器の近傍に位置することを特徴とする光走査装置。
【請求項４】
請求項１乃至３のうちの一つに記載の光走査装置において、
前記補強部材を固定することによって該偏向器周辺の空間が略密閉されることを特徴とする光走査装置。
【請求項５】
請求項４記載の光走査装置において、
前記補強部材は金属板によって形成されていることを特徴とする光走査装置。
【請求項６】
光源と偏向器と結像素子を用いて像面上に光スポットを走査するために該光源と該偏向器とが筐体内に設置されている構成を備えた光走査装置であって、
前記筐体は、少なくとも、向かい合う２つの側壁と、該側壁に略垂直に延びる底面と、該底面に略垂直で、かつ該２つの側壁をつなぐリブとを有し、
前記リブには、該光源から該偏向器に向かう光束および該偏向器により偏向された光束が通過する開口が一体的に形成されていることを特徴とする光走査装置。
【請求項７】
請求項１乃至６のうちの一つに記載の光走査装置において、
前記筐体のうち、少なくとも該側壁と該底面と該リブは、樹脂材料により一体的に成形されてなることを特徴とする光走査装置。
【請求項８】
請求項１乃至７のうちの一つに記載の光走査装置において、
少なくとも光源と結像素子を複数有し、１つの偏向器に対し異なる方向から複数の光束を入射させ、該複数の光束を各々偏向して複数の像面に光スポットを走査することを特徴とする光走査装置。
【請求項９】
請求項１乃至８のうちのひとつに記載の光走査装置を用い、像担持体上に光スポットを走査することによって像担持体上に像を書き込み、画像を形成することを特徴とする画像形成装置。
【請求項１０】
請求項９記載の画像形成装置において、
少なくとも光源を複数備え、複数の像面上に各々光スポットを走査することが可能な光走査装置を用いて複数の像担持体上に光スポットを走査することにより複数の像担持体各々に潜像を書き込み、該複数の像担持体各々に形成された潜像を顕像して重ね合わせることによって、カラー画像を形成することを特徴とするカラー画像形成装置。
【発明の詳細な説明】
【技術分野】
【０００１】
本発明は、光走査装置およびこれを用いる画像形成装置に関し、さらに詳しくは、光学素子の設置構造に関する。
【背景技術】
【０００２】
複写機やプリンタあるいはファクシミリ装置などの画像形成装置においては、潜像担持体として用いられる感光体への静電潜像を形成する装置の一つとしてレーザ光などの光ビームを用いる光走査装置が用いられる場合がある（例えば、特許文献１，２）。
【０００３】
一方、画像形成装置の一つであるデジタル複写機やレーザプリンタなどの電子写真技術を用いた装置には、光走査装置を用いて感光体の移動方向に対して垂直な方向に光スポットを走査させることによって、感光体に潜像を書き込み、この潜像をトナーを用いて現像し、トナーを紙上に転写後、定着器でトナーを加熱して紙上に定着させて、紙上に画像を形成する。また、感光体および現像器を複数用いて複数色の作像プロセスを並列で行うことにより、高速でカラー画像を形成するタンデムカラー画像形成装置などもある（例えば、特許文献３）。
【０００４】
このような画像形成装置に用いられる光走査装置では、半導体レーザを光源として用い、半導体レーザより発せられた光ビームをコリメータレンズやシリンドリカルレンズ等の第一結像素子によって整形した後、ポリゴンスキャナ等の偏向器によって偏向し、ｆθレンズや偏向器の面倒れ補正レンズ等の第二結像素子を介して、像面上に光スポットとして結像させかつ走査する。光源から像面までの光路中にミラーを挿入して光路を折り曲げることによって、光走査装置の小型化を図ったり、画像形成装置内の配置位置の最適化を図ったりすることも多い。
【０００５】
タンデム方式の画像形成装置における光走査装置においては、４つの感光体上を各々走査させるものがある。このような光走査装置では、高価な偏向器を１つしか用いずに済むため、光走査装置を低コストに抑えられるというメリットがある（例えば、特許文献３）。
【０００６】
特許文献３に開示されているような光書込装置においては、これに用いられるレンズやミラー等の光学素子や偏向器などが密閉された空間を構成する光学箱内に設置され、外部からの塵埃による光学面の汚損を防止するようになっている。
【０００７】
【特許文献１】特開平６−１４８５５３号公報（段落「０００２」欄）
【特許文献２】特開平１０−２３２３６０号公報（段落「０００４」欄）
【特許文献３】特開２００３−２４８１８６号公報（段落「０００５」、「００４１」欄）
【発明の開示】
【発明が解決しようとする課題】
【０００８】
光走査装置においては、密閉された空間を有する光学箱内に位置する光学素子や偏光器を備えた構成においては、偏光器として用いられる回転多面鏡がモータにより高速回転駆動される際に振動が発生し、この振動が光学箱に伝わる場合がある。光学箱の振動は各光学素子の支持部において振動を誘起することになり、この結果、光学箱内の所定位置に位置決めされていた光学素子の位置や姿勢が変動してしまい、像面上に結像される光スポットの位置や形状が変動することが原因となって出力画像の劣化を招く虞がある。特に、特許文献３に開示されているような構成、つまり、一つの偏光器により４つの光ビームに変更して各結像面への光学経路に導くことで低コスト化を図った構成では、光学箱内において全ての光学素子を格納する必要があることにより光学箱自体が大型なものとなる。  
このため、画像形成装置内において光学箱が支持される際に用いられるフレーム間のスパンが長くなることから振動に対する剛性を確保することが難しくなることがある。しかも、このような光走査装置では、偏向器やｆθレンズといった特に光学特性への影響の大きい素子が、一番振動しやすい光学箱の中央部、換言すれば、支持フレームにおける支持スパン間で最も曲げ変形が大きく現れる位置に配置されることから、出力画像への光学箱の振動の影響が出やすい。  
特許文献３では、このような不具合が発生するのを、補強リブを設けて光学箱の剛性を高めている。しかしながら、補強リブを支持フレームのスパン間に設けた場合には、偏光器の近傍にも補強リブが位置していることになる。このため、偏光器からの光ビームが遮られてしまうのを避けるために、偏光器近傍に位置するリブの一部を除去した構成あるいはリブ自体に切り欠きを設ける工夫がなされているが、このような構成とした場合には、偏向器近傍において振動に対する剛性強化部分が欠如することとなり、振動に対するリブの効果は限定的となってしまっている。
【０００９】
本発明の目的は、上記従来の光走査装置における問題に鑑み、光学素子や偏向器が格納されている光学箱の剛性を高めて振動に対する強度の向上により振動が原因する出力画像の劣化を防止することが可能な構成を備えた光走査装置および画像形成装置を提供することにある。
【課題を解決するための手段】
【００１０】
請求項１記載の発明は、光源と偏向器と結像素子を用いて像面上に光スポットを走査する光走査装置であって、該光源と該偏向器と該結像素子を設置する筐体を備え、該筐体は少なくとも、向かい合う２つの側壁と、該側壁に略垂直に延びる底面と、該底面に略垂直で、かつ該２つの側壁から各々連なって形成されたリブとを有し、該リブには、光束を通過させるための不連続部（リブとリブの間またはリブの切欠部）が設けられ、該不連続部には、リブとは別体の補強部材が架橋されていることを特徴としている。
【００１１】
請求項２記載の発明は、請求項１記載の光走査装置において、前記補強部材は、前記リブと別体である場合に、接着剤またはネジを用いて該リブに固定することによって、該リブの不連続部に架橋されていることを特徴としている。
【００１２】
請求項３記載の発明は、請求項１または２記載の光走査装置において、前記リブの不連続部は偏向器の近傍に位置することを特徴としている。
【００１３】
請求項４記載の発明は、請求項１乃至３のうちの一つに記載の光走査装置において、前記補強部材を固定することによって該偏向器周辺の空間が略密閉されることを特徴としている。
【００１４】
請求項５記載の発明は、請求項４記載の光走査装置において、前記補強部材は金属板によって形成されていることを特徴としている。
【００１５】
請求項６記載の発明は、光源と偏向器と結像素子を用いて像面上に光スポットを走査するために該光源と該偏向器とが筐体内に設置されている構成を備えた光走査装置であって、前記筐体は、少なくとも、向かい合う２つの側壁と、該側壁に略垂直に延びる底面と、該底面に略垂直で、かつ該２つの側壁をつなぐリブとを有し、前記リブには、該光源から該偏向器に向かう光束および該偏向器により偏向された光束が通過する開口が一体的に形成されていることを特徴としている。
【００１６】
請求項７記載の発明は、請求項１乃至６のうちの一つに記載の光走査装置において、前記筐体のうち、少なくとも該側壁と該底面と該リブは、樹脂材料により一体的に成形されてなることを特徴としている。
【００１７】
請求項８記載の発明は、請求項１乃至７のうちの一つに記載の光走査装置において、少なくとも光源と結像素子を複数有し、１つの偏向器に対し異なる方向から複数の光束を入射させ、該複数の光束を各々偏向して複数の像面に光スポットを走査することを特徴としている。
【００１８】
請求項９記載の発明は、請求項１乃至８のうちのひとつに記載の光走査装置を用い、像担持体上に光スポットを走査することによって像担持体上に像を書き込み、画像を形成する画像形成装置であることを特徴としている。
【００１９】
請求項１０記載の発明は、請求項９記載の画像形成装置において、少なくとも光源を複数備え、複数の像面上に各々光スポットを走査することが可能な光走査装置を用いて複数の像担持体上に光スポットを走査することにより複数の像担持体各々に潜像を書き込み、該複数の像担持体各々に形成された潜像を顕像して重ね合わせることによって、カラー画像を形成することを特徴としている。
【発明の効果】
【００２０】
請求項１および２記載の発明によれば、２つの側壁から各々連なって形成されたリブの不連続部にリブとは別体の補強部材が架橋されているので、リブでの撓み剛性を高めることができる。特に請求項２記載の発明においては、リブに対して接着剤またはネジを用いてリブに架橋されてリブと一体構造とされることにより、不連続部の存在による振動を抑制して振動が原因する出力画像の劣化を防止することが可能となる。
【００２１】
請求項３記載の発明によれば、リブの不連続部が偏向器の近傍に位置していることにより、偏向器による走査を阻害しないようにするために介在物の存在が好ましくない位置における補強が可能となり、偏向器での振動の伝搬を効率よく抑制することが可能となる。
【００２２】
請求項４記載の発明によれば、補強部材により偏向器周辺の空間が略密閉されるので、振動伝搬の抑制だけでなく、偏向器から発生する騒音および熱の伝搬を効率よく抑制することが可能となる。
【００２３】
請求項５記載の発明によれば、補強部材が鉄製であることにより、剛性の向上と共に防音および密閉空間内に封入されやすい熱を光学素子への影響を防ぎつつ外部に放出することができるので、偏向器周辺での温度上昇を防止して光学素子の熱的な悪影響を防止することが可能となる。
【００２４】
請求項６記載の発明によれば、向かい合う側壁と該側壁に略垂直に伸びる底面と該底面に垂直でかつ側壁間をつなぐリブを設け、リブには偏向器に対して入出射する光束の通過を可能にする開口が一体的に形成されているので、リブ自体の一部のみを開口にすることができ、これにより開口部分を欠如させて光束の通路とした場合と違って、リブ自体に不連続部分がないことによりリブの剛性低下をなくして振動に対する強度を維持することができる。これにより、振動による出力画像の劣化を効率よく防止することが可能となる。
【００２５】
請求項７記載の発明によれば、少なくとも側壁、底面およびリブが樹脂材料により一体成型されているので、リブによる剛性向上を図りつつ、材料コストを低下させることができ、低コストで高剛性の光学箱を得ることが可能となる。
【００２６】
請求項８記載の発明によれば、一つの偏向器に対して複数の光源および結像素子を設置して複数の像面に光スポットを走査することにより、各像面を対象としてそれぞれ偏向器を設ける必要がなく、部品点数や組み立て工数を低減させることが可能となる。
【００２７】
請求項９記載の発明によれば、光走査装置における振動が抑制されることにより振動が原因する出力画像の劣化を防止することが可能となる。
【００２８】
請求項１０記載の発明によれば、光走査装置での振動が抑制されることにより、重ね合わせる際の画像位置ずれなどを防止することができ、色ずれなどの出力画像の劣化を防止することが可能となる。
【発明を実施するための最良の形態】
【００２９】
以下、図示実施例により本発明を実施するための最良の形態について説明する。
【実施例】
【００３０】
図１は、本発明実施例による光走査装置の一つを示す図であり、同図において光走査装置１００は、光学箱１０１を主要部として備え、光学箱１０１は、互いに対向して位置する第１側壁部１０２，１０３およびこれら第１側壁部と直角な方向で対向する第２側壁部１２６，１２７によって四方が囲繞されており、これら各側壁部は底面部１２５にそれぞれ一体化されて固定されている。
【００３１】
底面部１２５には、複数の光源ユニット１１５〜１１８、シリンドリカルレンズ１１９〜１２２が必要箇所に配置され、底面部１２５の略中央には偏向器であるポリゴンスキャナ１０８が配置され、光源ユニット１１５〜１１８から出射された光ビームが偏向走査されるようになっている。  
ポリゴンスキャナ１０８は、６面の反射面を備えた回転ミラーが上下２段に積層された構成とされ、光源ユニット１１５，１１６および１１７，１１８は各々副走査方向にずれた配置関係とされている。
【００３２】
ポリゴンスキャナ１０８において偏向走査された光ビームが出射される位置には上下２段に積層されたｆθレンズ１０９，１１０および、底面部下方に向けて光ビームを折り返すミラー１１１〜１１４が配置され、ミラー１１１〜１１４に対応する底面部１２５の位置には、図２に示すように底面部１２５の下方に配置されている像担持体としての感光体３３１〜３３４に向けて光ビームを通過させる開口３３５〜３３８が設けられている。
【００３３】
図２において、底面部１２５の下方には、感光体３３１〜３３４に向けて光ビームを収斂させるレンズ３１６〜３１８およびミラー３１９〜３２６がそれぞれ配置されている。
【００３４】
光学箱１０１における上下各面には、図２において符号３０２，３０３で示すカバーが取り付けられて内部を覆うようになっており、外部からの塵埃の侵入を防止するようになっている。光学箱１０１の下面側に位置するカバー３０３には、感光体に向けて光ビームを照射可能な開口にガラス３２７〜３３０が設けられ、光学箱１０１内への塵埃の侵入を防止しながら光ビームの照射が行えるようになっている。
【００３５】
感光体３３１〜３３４の周囲には、図示しないが、周知の電子写真方法による画像形成を行うための帯電装置、現像装置、転写装置およびクリーニング装置が配置されており、各感光体で形成された可視像が記録シートなどの記録媒体に対して重畳転写されてフルカラー画像を形成できるようになっている。また、重畳転写された記録シートは、図示しないが定着装置を経由して画像形成装置内あるいは装置外部に排出されるようになっている。
【００３６】
図１において光学箱１０１は、側壁の４隅近傍に設けてある固定用フランジ（図１では一方の側壁１２７に設けてある固定用フランジのみが示してある）１２３，１２４を備えており、画像形成装置内に設けてある光走査装置取り付け部に対して締結されて固定されるようになっている。
【００３７】
上述した構成を備えた光走査装置における特徴部を以下に説明する。  
図１に示す光学箱１０１においては、偏向器であるポリゴンスキャナ１０８の設置位置近傍において底面部１２５に垂直で、かつ２つの側壁１０２，１０３にそれぞれ長手方向端部が一体化されることにより連結されたリブ１０４，１０５が設けられている。
【００３８】
リブ１０４，１０５は、ポリゴンスキャナ１０８の周辺を囲繞できる状態の壁部をなし、ｆθレンズ側に対面する壁部の一部には、光束を通過させるための不連続部が設けられている。不連続部としては、図１に示す場合が開口１０６，１０７によって構成されており、開口周縁、特に上下方向での開口周縁が連続している。なお、開口１０６，１０７に関しては、図１に示すように、ポリゴンスキャナ１０８に向かって入射する光ビームが通過する部分としての開口（窓）と１０８によって偏向された光ビームが通過する部分としての開口（窓）とをリブ１０４，１０５における別々の位置に形成することも可能である。
【００３９】
一方、図３は、光走査装置の要部変形例を示す図であり、同図における光学箱２０１は、偏向器であるポリゴンスキャナ２０８を中心として放射状に４つの光源ユニット２１５〜２１８が配置されており、これら各光源ユニット２１５〜２１８は、第１の側壁部２０２に取り付けられている。またポリゴンスキャナ２０８に対して光源ユニット２１５〜２１８から出射された光ビームを感光体に導くための光学素子の配置構成は、図１に示した場合と同様な構成とされている。
【００４０】
第１の側壁部２０２は、光源ユニット２１５〜２１８の配置状態に合わせて屈曲させてある。  
一方、側壁部２０２およびこれに対向する側壁部２０３には、これら各側壁部間を連なる状態でリブ２０４，２０５が設けられている。  
リブ２０４，２０５は、側壁部間で延長される途中がポリゴンスキャナ２０８の近傍で途切れて不連続な状態となっており、光源ユニットからポリゴンスキャナ２０８に向かう光ビームとポリゴンスキャナ２０８で偏向された光ビームがリブ２０４，２０５の途切れた部分を通過できるようになっている。
【００４１】
リブ２０４，２０５における途切れて不連続な部分には、その上面を覆うようにリブとは別体の補強部材としての鉄製カバー２２５が固定されるようになっている。
【００４２】
鉄製カバー２２５は、リブ２０４，２０５の途切れた部分の各隅部に設けてあるボス部２２６〜２２９に対して締結あるいは接着によって一体化されている。  リブ２０４，２０５における途切れた部分には、ポリゴンスキャナ２０８に対する光ビームの入射および出射口となる位置にガラス２３０が板バネ（図示されず）などで押し付けられて固定されており、これによってポリゴンスキャナ２０８がその周囲を略密閉されている。この構成によりポリゴンスキャナ２０８の回転時に発生する風切り音などの騒音が外部に漏洩するのを防ぐことができ、さらにはポリゴンスキャナ２０８で発生した熱が外部に伝搬することにより発生する虞のあるｆθレンズ２０９，２１０の特性変動を低減することができる。
【００４３】
本実施例では、図１乃至図３に示したリブを備えている構成の光走査装置において、光学箱中央部での振動低減に関する実験を行ったところ、次の挙げる結果を得た。
【００４４】
まず、実験に際し、本実施例による光学箱の構成に対する比較例として、図４のような形状を仮定し、これについて振動シミュレーションを行った。図４において下線を記した数字は寸法（単位ｍｍ）を示している。なお、図４に示す符号のうちで、符号４００は光学箱を、符号４０１は底面部を、符号４０２および４０３は第１側壁部を、符号４０４，４０５は第１側壁部４０２，４０３に連なるリブを、符号４０８，４０９はリブの一部に設けられた不連続部をそれぞれ示している。  
ここで、シミュレーションにおける拘束条件は図５の通りで、光学箱の４隅に対して、ねじ締結したことを想定し６自由度（３並進方向＋３回転方向）拘束とした。また、振動のトリガーとなる外力としては、図５中の矢印で示した位置に、ハンマーで叩くような瞬間的な衝撃を想定し、三角形のパルス状に５０Ｎの力を入力した。なお、シミュレーションに用いた光学箱の材料定数を図６に示す。  
これは一般的に光学箱の材料として用いられている樹脂材料の値である。また、振動シミュレーションでは有限要素法を用いているが、ここでは要素として三角形のシェル要素を採用し、図４の光学箱のモデルを約１４００の要素に分割した。
以上のような条件にて振動シミュレーションを行った結果を図８に示す。ここで、振動シミュレーションを行うと、各節点について図７のような時間に対する変位のデータが得られる。これに対しフーリエ変換によって周波数解析を行った結果が図７である。また、図８では図５における丸印で示した２点、すなわち偏向器取付け部（光学箱中央部）とｆθレンズ取付け部の上下方向の変位を示している。
【００４５】
一方、本実施例における光学箱の構成として、図１に示したようなリブの一部に開口を設けた場合と同等な形状を仮定し（図９参照）、これについて振動シミュレーションを行った。すなわち、リブに矩形の開口がある構成を対象としている。ここで、外形やリブの位置等は図４と同じとしている。
【００４６】
図９に示したモデルに対して振動シミュレーションを行った結果を図１０に示す。  
図１０に示すように、本実施例でのシミュレーション結果においては、図８に示した従来技術による光学箱を対象とした場合の結果と比べて、偏向器およびｆθレンズ取付け部の双方で振動のピークの高さが大きく低減されているのがわかる。
【００４７】
次に、本実施例における光学箱の構成として、図３に示したように、リブの一部が途切れて不連続な形態となっている場合に相当させた図１１に示すような構成を仮定し、これについて振動シミュレーションを行った。  
図１１において、光学箱の形状は図３に示した構成と同じであり、リブに関しては図４に示した場合と同様に、一部に不連続部が形成されている構成であり、この構成において不連続部に対して６０ｍｍ×９０ｍｍ×厚さ３ｍｍのカバーを追加している。ここでは、カバーの材質は光学箱と同じとした。また、このカバーは四隅を光学箱のリブにねじ締結することを想定しており、シミュレーションでは四隅を図１１に示した位置に、６自由度（３並進方向＋３回転方向）拘束の条件でリンクさせた。
【００４８】
図１１のモデルに対して振動シミュレーションを行った結果を図１２に示す。図１２は図１０とほとんど差異がなく、やはり図１０と同様に図８、すなわち従来技術による光学箱と比べて、偏向器およびｆθレンズ取付け部の双方で振動のピークの高さが大きく低減されているのがわかる。
【図面の簡単な説明】
【００４９】
【図１】本発明の実施例による光走査装置の構成を示す図である。
【図２】図１に示した光走査装置の断面構成を示す図である。
【図３】図１に示した光走査装置の要部変形例を示す図である。
【図４】振動シミュレーションに用いる比較例としての従来構成による光走査装置を示す図である。
【図５】図４に示した構成を対象とした振動シミュレーションを実施する際の拘束条件を説明するための模式図である。
【図６】図５に示した拘束条件に用いられる光学箱の材料定数を示す表図である。
【図７】振動シミュレーションに用いる光学箱の各節点での変位のデータをフーリエ変換によって周波数解析した結果を示す図である。
【図８】図５に示した従来構成の光学箱における計測点での振動変位量を示す図である。
【図９】図１に示した構成を対象とした振動シミュレーションを実施するための光学箱の構成を示す模式図である。
【図１０】図９に示した構成の光学箱における計測点での振動変位量を示す図である。
【図１１】図３に示した構成の光学箱を対象とした場合の振動シミュレーションを行うための構成を示す模式図である。
【図１２】図１１に示した構成の光学箱における計測点での振動変位量を示す図である。
【符号の説明】
【００５０】
１００  光走査装置
１０１，２０１  光学箱
１０２，１０３，２０２，２０３  第１側壁部
１２６，１２７，２０１  第２側壁部
１２５  底面部
１０４，１０５，２０４〜２０７  リブ
１０７，１０８  開口部
２２５  補強部材としての鉄製カバー
３３１〜３３４  感光体
【図１】
2006234977.tif 000003
【図２】
2006234977.tif 000004
【図３】
2006234977.tif 000005
【図４】
2006234977.tif 000006
【図５】
2006234977.tif 000007
【図６】
2006234977.tif 000008
【図７】
2006234977.tif 000009
【図８】
2006234977.tif 000010
【図９】
2006234977.tif 000011
【図１０】
2006234977.tif 000012
【図１１】
2006234977.tif 000013
【図１２】
2006234977.tif 000014